(57)【特許請求の範囲】
【請求項１】
（ａ１） プロセッサを備えた無線通信装置によって実行される無線通信のための方法であって、
（ａ２） 順方向リンク・チャネルでシステムから通信を受信することと、
（ａ３） 前記システムの逆方向リンク・チャネルに関連する低信頼性のレベルを判定することと、
（ａ４） 前記低信頼性のレベルに少なくとも部分的に基づいて、１または複数のタイマにしたがって前記システムを回避することと、
（ａ５） 前記１または複数のタイマのうちの少なくとも１つが終了する前に回避されたシステムを含む、１または複数の再選択手順を実行すること、
（ａ６） ここにおいて、前記低信頼性のレベルを判定することは、前記１または複数の再選択手順の一部として前記システムがアクセスされるかを判定することに少なくとも部分的に基づく、
を備える上記方法。
【請求項２】
前記１または複数の再選択手順の一部として前記システムを獲得することをさらに備える、請求項１に記載の方法。
【請求項３】
アクセス試行が、前記システムにおいて直ちにトリガされるかを、前記システムを獲得することに少なくとも部分的に基づいて判定することに少なくとも部分的に基づいて、前記システムにアクセスすることをさらに備える、請求項２に記載の方法。
【請求項４】
前記逆方向リンク・チャネルの低信頼性のレベルが一時的であると判定することと、
前記システムにアクセスすると、前記１または複数のタイマのうちの少なくとも１つをキャンセルすることと、
をさらに備える請求項３に記載の方法。
【請求項５】
アクセス試行が、前記システムにおいて直ちにトリガできないと判定することに少なくとも部分的に基づいて、前記システムを回避し続けること、をさらに備える請求項２に記載の方法。
【請求項６】
前記逆方向リンク・チャネルの低信頼性のレベルが継続的であると判定することと、
前記１または複数のタイマのうちの少なくとも１つの残りの持続時間の間、前記システムを回避することと、
をさらに備え、
前記１または複数の再選択手順を実行することは、再選択手順をしきい回数実行することを含む、請求項１に記載の方法。
【請求項７】
前記システムへのアクセス試行履歴に少なくとも部分的に基づいて、前記再選択手順のしきい回数を合わせること、をさらに備える請求項６に記載の方法。
【請求項８】
１または複数のベター・サービス再選択（ＢＳＲ）期間中、別のシステムと通信している間に前記システムの存在を判定すること、コールがリリースされたことを判定すること、前記別のシステムへの再選択を判定すること、または、前記別のシステムによって提供されているサービスにおける１または複数の制限を検出すること、に少なくとも部分的に基づいて、前記１または複数の再選択手順のうちの少なくとも１つを実行するために、回避されたシステムのベター・サービス再選択（ＡＢＳＲ）タイマを起動すること、をさらに備える請求項１に記載の方法。
【請求項９】
サービス停止手順を開始することをさらに備え、
前記判定することは、前記システムにアクセスすることなく、多くの再選択手順を実行することに少なくとも部分的に基づいて、前記逆方向リンク・チャネルの低信頼性のレベルが継続的であると判定することを含む、請求項１に記載の方法。
【請求項１０】
前記システムに関連する登録状態が最新であると判定することをさらに備え、
前記開始することは、前記登録状態に基づいて、回避されたシステムのサービス停止を開始することを含む、請求項９に記載の方法。
【請求項１１】
前記システムに関連する登録状態が最新ではないと判定することをさらに備え、
前記開始することは、前記登録状態に基づいて、前記システムを探索しない、システムのサービス停止を開始することを含む、請求項９に記載の方法。
【請求項１２】
前記１または複数のタイマのうちの少なくとも１つを再起動することと、
前記少なくとも１つのタイマが終了すると、前記システムへのアクセスを試みることと、
をさらに備える請求項９に記載の方法。
【請求項１３】
前記システムへの以前のアクセス試行に少なくとも部分的に基づいて、前記１または複数のタイマを合わせること、をさらに備える請求項１に記載の方法。
【請求項１４】
システムを回避するための装置であって、
順方向リンク・チャネルでシステムから１または複数の信号を受信し、
前記システムの逆方向リンク・チャネルに関連する低信頼性のレベルが、一時的であるか、または継続的であるかを区別し、
タイマおよび前記低信頼性のレベルに少なくとも部分的に基づいて、前記システムを回避し、
前記タイマの終了前に、回避されたシステムを含む１または複数の再選択手順を実行し、
前記１または複数の再選択手順の一部として前記システムを獲得し、
アクセス試行が、前記システムにおいて直ちにトリガされると判定することに少なくとも部分的に基づいて、前記システムにアクセスし、
前記システムにアクセスすると、前記低信頼性のレベルが一時的であると認識することに少なくとも部分的に基づいて、前記タイマをキャンセルする、
ように構成された少なくとも１つのプロセッサ、
ここにおいて、前記少なくとも１つのプロセッサは、前記低信頼性のレベルが一時的であると認識する、と、
前記少なくとも１つのプロセッサに接続されたメモリと、
を備える上記装置。
【請求項１５】
前記少なくとも１つのプロセッサはさらに、前記低信頼性が継続的であると判定することに少なくとも部分的に基づいて、前記タイマの残りの持続時間の間、前記システムを回避するように構成され、
前記１または複数の再選択手順は、しきい回数の再選択手順を含む、請求項１４に記載の装置。
【請求項１６】
前記少なくとも１つのプロセッサはさらに、前記低信頼性が継続的であると認識することに少なくとも部分的に基づいてサービス停止手順を開始するように構成され、
前記１または複数の再選択手順は、しきい回数の再選択手順を含む、請求項１４に記載の装置。
【請求項１７】
前記少なくとも１つのプロセッサはさらに、前記システムに関連する登録状態が最新であると判定するように構成され、
前記サービス停止手順は、回避されたサービス停止手順である、請求項１６に記載の装置。
【請求項１８】
前記少なくとも１つのプロセッサはさらに、前記タイマを再起動し、前記タイマが終了すると、前記システムへのアクセスを試みるように構成された、請求項１６に記載の装置。
【請求項１９】
システム回避を提供するための装置であって、
順方向リンク・チャネルでシステムから通信を受信する手段と、
前記システムの逆方向リンク・チャネルに関連する低信頼性のレベルを判定する手段と、
前記低信頼性のレベルに少なくとも部分的に基づいて、タイマにしたがって前記システムを回避する手段と、
前記タイマの終了前に、回避されたシステムを含む１または複数の再選択手順を実行する手段と、
ここにおいて、前記判定する手段は、前記１または複数の再選択手順の一部として前記システムがアクセスされるかを判定することに少なくとも部分的に基づいて、前記低信頼性のレベルを判定する、
を備える上記装置。
【請求項２０】
前記システムを回避する手段は、前記１または複数の再選択手順の一部として前記システムを獲得する、請求項１９に記載の装置。
【請求項２１】
前記システムを回避する手段は、アクセス試行が、前記システムにおいて直ちにトリガされると判定することに少なくとも部分的に基づいて、前記システムにアクセスする、請求項２０に記載の装置。
【請求項２２】
前記システムへアクセスすると、前記タイマをキャンセルする手段をさらに備え、
前記判定する手段は、前記逆方向リンク・チャネルの低信頼性のレベルが一時的であると判定する、請求項２１に記載の装置。
【請求項２３】
前記判定する手段は、前記逆方向リンク・チャネルの低信頼性のレベルが継続的であると判定し、
前記システムを回避する手段は、前記タイマの残りの持続時間の間、前記システムを回避し、
前記１または複数の再選択手順を実行する手段は、しきい回数の再選択手順を実行する、請求項１９に記載の装置。
【請求項２４】
サービス停止手順を開始する手段をさらに備え、
前記判定する手段は、前記システムにアクセスすることなく、多くの再選択手順を実行することに少なくとも部分的に基づいて、前記逆方向リンク・チャネルの低信頼性のレベルが継続的であると判定する、請求項１９に記載の装置。
【請求項２５】
前記サービス停止手順を開始する手段は、前記システムに関連する登録状態が最新であると判定し、前記登録状態に基づいて、回避されたシステムのサービス停止を開始する、請求項２４に記載の装置。
【請求項２６】
少なくとも１つのコンピュータに対して、順方向リンク・チャネルでシステムから１または複数の信号を受信させるためのコードと、
前記少なくとも１つのコンピュータに対して、前記システムの逆方向リンク・チャネルに関連する低信頼性のレベルを認識させるためのコードと、
前記少なくとも１つのコンピュータに対して、タイマおよび前記低信頼性のレベルに少なくとも部分的に基づいて、前記システムを回避させる
ためのコードと、
前記少なくとも１つのコンピュータに対して、前記タイマの終了前に、回避されたシステムを含む１または複数の再選択手順を実行させるためのコードと、
前記少なくとも１つのコンピュータに対して、前記低信頼性のレベルが一時的であると認識させるためのコードと
を備えるコンピュータ読取可能な記録媒体。
【請求項２７】
前記少なくとも１つのコンピュータに対して、前記１または複数の再選択手順の一部として前記システムを獲得させるためのコードをさらに備える、請求項２６に記載のコンピュータ読取可能な記録媒体。
【請求項２８】
前記少なくとも１つのコンピュータに対して、アクセス試行が、前記システムにおいて直ちにトリガされると判定することに少なくとも部分的に基づいて、前記システムにアクセスさせるためのコードと、
前記少なくとも１つのコンピュータに対して、前記システムにアクセスすると、前記低信頼性のレベルが一時的であると認識することに少なくとも部分的に基づいて、前記タイマをキャンセルさせるためのコードと、
をさらに備える請求項２７に記載のコンピュータ読取可能な記録媒体。
【請求項２９】
前記少なくとも１つのコンピュータに対して、前記低信頼性が継続的であると認識させるためのコードに少なくとも部分的に基づいて、前記少なくとも１つのコンピュータに対して、前記タイマの残りの持続時間の間、前記システムを回避させるためのコードをさらに備え、
前記１または複数の再選択手順は、しきい回数の再選択手順を含む、請求項２６に記載のコンピュータ読取可能な記録媒体。
【請求項３０】
前記少なくとも１つのコンピュータに対して、前記低信頼性が継続的であると認識させるためのコードに少なくとも部分的に基づいて、前記少なくとも１つのコンピュータに対して、サービス停止手順を開始させるためのコードをさらに備え、
前記１または複数の再選択手順は、しきい回数の再選択手順を含む、請求項２６に記載のコンピュータ読取可能な記録媒体。
【請求項３１】
前記少なくとも１つのコンピュータに対して、前記システムに関連する登録状態が最新であると判定させるためのコードをさらに備え、
前記サービス停止手順は、回避されたサービス停止手順である、請求項３０に記載のコンピュータ読取可能な記録媒体。
【請求項３２】
前記少なくとも１つのコンピュータに対して、前記タイマを再起動させ、前記タイマが終了すると、前記システムへのアクセスを試みさせるためのコードをさらに備える、請求項３０に記載のコンピュータ読取可能な記録媒体。
【請求項３３】
システム回避のための装置であって、
順方向リンク・チャネルでシステムから通信を受信する基地局検出構成要素と、
前記システムの逆方向リンク・チャネルに関連する低信頼性のレベルを認識する信頼性判定構成要素と、
前記低信頼性のレベルに少なくとも部分的に基づいて、タイマにしたがって前記システムを回避するシステム接続構成要素と、
前記タイマの終了前に、回避されたシステムを含む１または複数の再選択手順を実行する再選択構成要素と、
ここにおいて、前記低信頼性判定構成要素は、前記１または複数の再選択手順の一部として前記システムがアクセスされるかを判定することに少なくとも部分的に基づいて、前記信頼性のレベルを判定する、
を備える上記装置。
【請求項３４】
前記システム接続構成要素は、前記１または複数の再選択手順の一部として前記システムを獲得する、請求項３３に記載の装置。
【請求項３５】
前記システム接続構成要素は、アクセス試行が、前記システムにおいて直ちにトリガされると判定することに少なくとも部分的に基づいて、前記システムにアクセスする、請求項３４に記載の装置。
【請求項３６】
前記システムへアクセスすると、前記タイマをキャンセルする回避タイマ構成要素をさらに備え、
前記信頼性判定構成要素は、前記逆方向リンク・チャネルの低信頼性のレベルが一時的であると判定する、請求項３５に記載の装置。
【請求項３７】
前記信頼性判定構成要素は、前記逆方向リンク・チャネルの低信頼性のレベルが継続的であると判定し、
前記システム接続構成要素は、前記タイマの残りの持続時間の間、前記システムを回避し、
前記再選択構成要素は、しきい回数の再選択手順を実行する、請求項３３に記載の装置。
【請求項３８】
サービス停止手順を開始するためのサービス停止構成要素をさらに備え、
前記信頼性判定構成要素は、前記システムにアクセスすることなく、多くの再選択手順を実行することに少なくとも部分的に基づいて、前記逆方向リンク・チャネルの低信頼性のレベルが継続的であると判定する、請求項３３に記載の装置。
【請求項３９】
前記サービス停止構成要素は、前記システムに関連する登録状態が最新であると判定し、前記登録状態に基づいて、回避されたシステムのサービス停止を開始する、請求項３８に記載の装置。
【発明の詳細な説明】
【優先権主張】
【０００１】
本特許出願は、“システム選択アルゴリズム”（SYSTEM SELECTION ALGORITHM）と題された２００９年９月２２日出願の米国特許仮出願６１／２４４，８１４号に対する優先権を主張する。この仮出願は、本明細書の譲受人に譲渡され、本明細書に参照によって明確に組み込まれている。
【技術分野】
【０００２】
以下の説明は、一般に、無線通信システムに関し、さらに詳しくは、無線通信システムを選択することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
さらに、無線ネットワークにおけるデバイスは、無線ネットワークへのアクセスを受信するための無線通信システムを選択しうる。例えば、デバイスは、基地局と通信している間、（例えば、デバイスが移動しており、１または複数の別の基地局がより好適であり、および／または、よりクリアな信号を送信する場合）１または複数の別の基地局への再選択を実行しうる。さらに、例では、デバイスは、別の無線通信システムに関連する基地局へ再選択しうる。これは、例えば、オリジナルの基地局の信頼性が低くなるか、または、アクセス不能となり、信頼性の高い、および／または、アクセス可能な無線通信システムに関連するその他の基地局が存在しなくなった場合に生じうる。別の例では、これは、より好適な無線通信システムの基地局が検出された場合に生じうる。
【０００６】
さらに、上記例において、オリジナルの基地局が、信頼性が低くなった場合、デバイスは、基地局または関連する無線通信システムを回避リスト内に維持し、指定された時間、無線通信システムへの接続を回避しうる。したがって、再選択手順の間、デバイスは、デバイスによって利用される電力を節約するために、回避リスト内に列挙されたものとは異なるシステムを求めて探索しうる。指定された時間に達すると、基地局または関連する無線通信システムは、回避リストから削除され、これによって、対応する基地局が範囲内にある場合には、次の再選択手順の間に、アクセスが試みられる。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の実施形態および対応する開示によれば、さまざまな態様が、無線通信システムに関連する低信頼性のレベルを判定することを容易にすることに関連して記載されている。この点に関し、アクセス試行回数を、システムがアクセスされうる機会とバランスさせるために、無線通信システムは、少なくとも部分的に低信頼性のレベルに基づいて回避されうる。例えば、好適な無線通信システムが、一時的に信頼性が低いと判定された場合、システムが継続的に信頼性が低いと判定された場合よりもより頻繁に、無線通信システムへのアクセスが試みられうる。
【０００９】
例によれば、順方向リンク・チャネルでシステムから通信を受信することと、システムの逆方向リンク・チャネルに関連する低信頼性のレベルを判定することと、を含む方法が提供される。この方法はさらに、低信頼性のレベルに少なくとも部分的に基づいて、１または複数のタイマにしたがってシステムを回避することを含む。
【００１０】
別の態様では、順方向リンク・チャネルでシステムから１または複数の信号を受信し、システムの逆方向リンク・チャネルに関連する低信頼性のレベルが、一時的であるか、継続的であるかを区別する、ように構成された少なくとも１つのプロセッサを含む、システムを回避するための装置が提供される。少なくとも１つのプロセッサはさらに、タイマおよび低信頼性のレベルに少なくとも部分的に基づいて、１または複数の再選択手順の間、システムを回避するように構成される。さらに、無線通信装置は、少なくとも１つのプロセッサに接続されたメモリを含む。
【００１１】
また別の態様では、順方向リンク・チャネルでシステムから通信を受信する手段と、システムの逆方向リンク・チャネルに関連する低信頼性のレベルを判定する手段とを含む、システム回避を提供するための装置が提供される。この装置はさらに、低信頼性のレベルに少なくとも部分的に基づいて、タイマにしたがってシステムを回避する手段を含む。
【００１２】
また、別の態様によれば、少なくとも１つのコンピュータに対して、順方向リンク・チャネルでシステムから１または複数の信号を受信させるためのコードと、少なくとも１つのコンピュータに対して、システムの逆方向リンク・チャネルに関連する低信頼性のレベルを認識させるためのコードと、を有するコンピュータ読取可能な媒体を含む、システムを回避するためのコンピュータ・プログラム製品が提供される。このコンピュータ読取可能な媒体はさらに、少なくとも１つのコンピュータに対して、タイマおよび低信頼性のレベルに少なくとも部分的に基づいて、１または複数の再選択手順の間、システムを回避させるためのコードを含む。
【００１３】
さらに、態様では、順方向リンク・チャネルでシステムから通信を受信する基地局検出構成要素と、システムの逆方向リンク・チャネルに関連する低信頼性のレベルを認識する信頼性判定構成要素とを含む、システム回避のための装置が提供される。この装置はさらに、低信頼性のレベルに少なくとも部分的に基づいて、タイマにしたがってシステムを回避するシステム接続構成要素を含む。
【００１４】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１５】
開示された態様は、以下において、同一符号が同一要素を示す添付図面と連携して説明され、開示された態様を、限定することなく、例示するために提供される。
【図１】図１は、信頼性の高い逆方向リンク・チャネルを有する無線通信システムを選択するためのシステムの例を図示する。
【図２】図２は、逆方向リンクの低信頼性にしたがって無線通信システムを回避するためにシステムの例を図示する。
【図３】図３は、逆方向リンク・チャネルが一時的に信頼性が低いのか、または、継続的に信頼性が低いのかと判定されることに基づいて、無線通信システムを回避することを容易にするシステムの例を図示する。
【図４】図４は、最大アクセス・プローブ出口（ＭＡＰＥ）を経験すると、無線通信システムを回避するためのネットワークの例を図示する。
【図５】図５は、回避された無線通信システムに接続するためのネットワークの例を図示する。
【図６】図６は、アクセス試行が直ちにトリガできないとの判定に基づいて、無線通信システムを回避するネットワークの例を図示する。
【図７】図７は、信頼性の低い逆方向リンク・チャネルに少なくとも部分的に基づいて、回避されたシステムのサービス停止（ＯｏＳ）手順を開始することを容易にするネットワークの例を図示する。
【図８】図８は、信頼性の低い逆方向リンク・チャネルに少なくとも部分的に基づいてＯｏＳ手順を開始するネットワークの例を図示する。
【図９】図９は、信頼性の低い逆方向リンクに基づいて無線通信システムを回避することを容易にする方法の例を図示する。
【図１０】図１０は、信頼性の低い逆方向リンクが一時的であるか、継続的であるかを判定することに基づいて無線通信システムを回避する方法の例を図示する。
【図１１】図１１は、信頼性の低い逆方向リンクに基づいて無線通信システムを回避するためのシステムの例を図示する。
【図１２】図１２は、本明細書に記載されたさまざまな態様にしたがう無線通信システムの例示である。
【図１３】図１３は、本明細書に記載されたさまざまなシステムおよび方法とともに適用される無線ネットワーク環境の例示である。
【発明を実施するための形態】
【００１６】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１７】
本明細書においてさらに説明するように、デバイスは、無線通信システムへの逆方向リンクが信頼性が低いと判定しうる。さらに、この低信頼性が、一時的なものであるか、継続的なものであるかを判定しうる。例えば、この低信頼性が、継続的である場合、デバイスは、一時的である場合よりも長い期間、この無線通信システムを回避しうる。例えば、この低信頼性が、一時的であるのか、または継続的であるのかを判定するために、デバイスは、無線通信システムへのさまざまなアクセス試行を行いうる。このアクセス試行に失敗し続けると、デバイスは、（例えば、しきい試行回数の後）この低信頼性が継続的であるものと判定し、この無線通信システムを回避し、別の無線通信システムが利用可能であれば、別の無線通信システムで通信しうる。しかしながら、回避された無線通信システムが、好適な無線通信システムである場合、デバイスは、別のタイマにしたがってアクセス試行を続け、このアクセス試行が成功した場合、この好適な無線通信システムへ再選択しうる。
【００１８】
本願で使用されるように、用語「構成要素」、「モジュール」、「システム」等は、限定される訳ではないが、ハードウェア、ファームウェア、ハードウェアとソフトウェアとの組み合わせ、ソフトウェア、あるいは実行中のソフトウェアのようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１９】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２１】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２２】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２３】
図１に示すように、複数の無線通信システムから選択するための無線通信システム１００が例示されている。システム１００は、例えば、基地局１０４および／または基地局１０６のような１または複数の基地局、または他のデバイスから、無線ネットワーク・アクセスを受信するデバイス１０２を含んでいる。デバイス１０２は、ＵＥまたはその他のモバイル・デバイス、中継ノード、アクセス・ポイント等でありうる。基地局１０４および基地局１０６は、同様に、（例えば、ピア・トゥ・ピアまたはアド・ホック・モードにある）ＵＥ、中継ノード、アクセス・ポイント等でありうる。ここで、基地局１０４または基地局１０６は、（図示しない）無線ネットワークへのアクセスをデバイス１０２に提供する。それに加えて、デバイス１０２は、例えば、基地局１０４および／または基地局１０６から、順方向リンク・チャネル１０８および／または順方向リンク・チャネル１１２で信号を受信しうる。そして、逆方向リンク１１０および／または逆方向リンク１１４で、基地局１０４および／または基地局１０６と通信することを試みうる。
【００２４】
例によれば、デバイス１０２は、順方向リンク・チャネル１０８で基地局１０４から信号を受信しうる。そして、逆方向リンク・チャネル１１０で基地局１０４へ返信することを試みうる。しかしながら、逆方向リンク・チャネル１１０は、基地局１０４へアクセスできないほど信頼性が低い場合がある。これは、例えば、基地局１０４が信号を受信するにはデバイス１０２から遠すぎる（例えば、基地局１０４は順方向リンク・チャネル１０８でデバイス１０２へ送信しかできない）、逆方向リンク・チャネル１１０に関連するチャネル条件が、信頼性の高い接続を維持するのに要求されるしきい値未満である等のような、さまざまな理由のためでありうる。一例において、基地局１０４は、順方向リンク・チャネル１０８信号が非常に強くなるように、デバイス１０２よりも高いエレベーションにありうるので、デバイス１０２は、逆方向リンク・チャネル１１０で通信するには遠すぎて、通信ループを閉じるにも関わらず、順方向リンク・チャネル１０８で信号を傍受しうる。
【００２５】
したがって、デバイス１０２は、逆方向リンク・チャネル１１０で基地局１０４にアクセスすることを試み、そして、失敗しうる。例えば、デバイス１０２は、ある期間中、基地局１０４、関連する無線通信システム、関連するチャネル等を回避しうる。そして、例えば基地局１０６のように、別のシステムの別の基地局へのアクセスを試みうるか、および／または、例えば別のチャネルを利用しうる。一例では、デバイス１０２は、基地局１０４を回避リストに追加し、回避タイマを起動しうる。この点に関し、デバイス１０２は、基地局１０４や、類似の無線通信タイプの基地局や、通信のために同じチャネルを利用しうる基地局等を探索することなく、他の基地局を求めて探索しうる。回避タイマが終了すると、デバイス１０２は、基地局１０４等を求めて探索しうる。
【００２６】
しかしながら、例において、基地局１０４は、基地局１０６よりも好適でありうる。（例えば、基地局１０４は、デバイス１０２のホーム無線通信システムを用いてアフィリエートされうる。そして、高度なサービスや、増加された帯域幅等をデバイス１０２へ提供しうる。）さらに、例えば、逆方向リンク１０８の低信頼性は、一時的でありうると認識されるべきである。したがって、例えば、デバイス１０２は、回避期間中もまた、基地局１０４へ、または、同じ無線通信システムにおける、または同じチャネルを用いる別の基地局へのアクセスを試みうる。一例において、デバイス１０２は、再選択タイマ等にしたがって、１または複数の別の基地局との再選択手順中のさまざまな時間において、基地局１０４を回避すると判定すると、基地局１０４、または、同じ無線通信システムまたはチャネルの別の基地局へのアクセスを試みうる。
【００２７】
他の例において、基地局１０４は、デバイス１０２がデバイス１０２における順方向リンク１０８の電力に関して適切なリソースで送信できるようにするために、逆方向リンク・チャネル１１０および順方向リンク・チャネル１０８をバランスさせうる。さらに、例えば、基地局１０４は、順方向リンク・チャネル１０８で基地局１０４を獲得した後、デバイス１０２に対して、登録を実行させうる。例えば、これは、逆方向リンク・チャネル１１０の信頼性が低い場合、登録の失敗をもたらしうる。これは、デバイス１０２に対して、他の基地局（例えば、基地局１０６）への再選択を試みさせうる。また別の例では、基地局１０６は、エリア内のデバイス１０２に関し、基地局１０４と同じ優先度で動作するように修正されうる。ここで、基地局１０４は、強い順方向リンク・チャネル１０８と、信頼性の低い逆方向リンク・チャネル１１０とを有する。
【００２８】
図２に移って、逆方向リンク・チャレンジ基地局のための回避手順を決定する無線通信システム２００の例が図示される。システム２００は、デバイス１０２を含みうる。これは、前述したように、順方向リンク１０８および／または順方向リンク１１２、および、逆方向リンク１１０および／または逆方向リンク１１４によって、基地局１０４および／または基地局１０６と通信しうる。それに加えて、説明するように、基地局１０４および基地局１０６は、異なる無線通信システムに関連しうる。デバイス１０２は、１または複数の基地局から順方向リンク・チャネル信号を受信しうる基地局検出構成要素２０２と、基地局に関連する逆方向リンク・チャネルの信頼性のレベルを判定する信頼性判定構成要素２０４とを備えうる。デバイス１０２はまた、基地局との逆方向リンクが確立できないか、あるレベルの低信頼性を有しているとの判定がなされると、回避タイマを起動する回避タイマ構成要素２０６と、１または複数の基地局へのアクセスを試みるシステム接続構成要素２０８とを備える。
【００２９】
例によれば、基地局検出構成要素２０２は、例えば基地局１０４および基地局１０６のような、デバイス１０２の範囲内の１または複数の基地局を（例えば、基地局からの信号を測定すること等に少なくとも部分的に基づいて）判定しうる。それに加えて、例えば、基地局検出構成要素２０２は、デバイス１０２が電源をオンすることまたは通信を開始することの一部として、再選択の一部として、および／またはその他として、信号を測定しうる。信頼性判定構成要素２０４は、例えば、（例えば、低信頼性が一時的であるか継続的であるかのような）１または複数の基地局の逆方向リンク・チャネルに関する低信頼性のレベルを判定しうる。説明するように、例えば、基地局検出構成要素２０２は、基地局１０４の順方向リンク・チャネル１０８を測定しうる。そして、信号が、デバイス１０２にサービス提供するほど十分に強い（例えば、信号対雑音比（ＳＮＲ）が、しきいレベル以上である）ことを判定しうる。したがって、信頼性判定構成要素２０４は、関連する低信頼性のレベルを判定するために、逆方向リンク・チャネル１１０によって信号を送信しうる。
【００３０】
例えば、デバイス１０２、すなわち信頼性判定構成要素２０４は、最大アクセス・プローブ（ＭＡＰ）手順を開始しうる。ここで、デバイス１０２は、接続するまで、または、しきい電力に達するまで、増加された電力で、複数回、逆方向リンク・チャネルで基地局１０４へ送信する。この例では、基地局１０４にアクセスすることなく、しきい電力に達しうる。デバイス１０２は、ＭＡＰ手順の間に送信された信号に対する応答を受信することに少なくとも部分的に基づいて、基地局１０４に接続されているかを判定し、信頼性判定構成要素２０４は、この例では、逆方向リンク・チャネル１１０が基地局１０４との通信を続けるのに十分信頼性が高いかを、（例えば、基地局１０４から受信した制御データに基づいて）認識しうることが認識されるべきである。しかしながら、一例において、ＭＡＰは失敗しうる。これは、ＭＡＰ終了（ＭＡＰＥ）と称されうる。この場合、信頼性判定構成要素２０４は、逆方向リンク・チャネルが低信頼性であると認識しうる。
【００３１】
何れの例でも（例えば、逆方向リンク・チャネル１１０が基地局１０４との通信に不十分であると判定された場合であっても、ＭＡＰＥが生じた場合であっても）、信頼性判定構成要素２０４は、逆方向リンク・チャネル１１０に関連する低信頼性のレベル（例えば、この低信頼性が一時的であるか継続的であるか）を判定しうる。一例において、信頼性判定構成要素２０４は先ず、逆方向リンク・チャネル１０８問題が、継続的であると仮定し、さらなるアクセス試行を保留にする。したがって、例えば、システム接続構成要素２０８は、信頼性判定構成要素２０４が低信頼度を認識することに基づいて、基地局１０４を回避リストに追加しうる。そして、回避タイマ構成要素２０６は、基地局１０４、および／または、同じ無線通信システムの、および／または、同じチャネルを用いる基地局を回避するために、関連付けられたタイマを起動しうる。システム接続構成要素２０８は、基地局１０４または基地局１０６、および／または、その他の基地局へのアクセスを試みるために、（例えば、再選択手順のような）さまざまな手順を実行しうる。
【００３２】
しかしながら、基地局１０４は、例えば基地局１０６のように、エリア内の他の基地局と比べて、好適な無線通信システムのものでありうることが認識されるべきである。この点において、信頼性判定構成要素２０４は、他の基地局等へのアクセスを取得および／または試行するために実行されうる１または複数の手順の間、または、これら手順に基づいて、システム接続構成要素２０８が基地局１０４にアクセスしうるか、接続しうるかに少なくとも部分的に基づいて、基地局１０４における無線リンク・チャネル失敗が、一時的であるか継続的であるかを判定しうる。例えば、システム接続構成要素２０８、または、１または複数の別の構成要素は、たとえ信頼性判定構成要素２０４が基地局１０４および／または関連する無線通信システムを、回避リスト内に維持している場合であっても、このような獲得／アクセス試行を実行する。
【００３３】
例えば、システム接続構成要素２０８によるアクセス試行がしきい回数なされた後、信頼性判定構成要素２０４は、逆方向リンク・チャネル１１０失敗が継続的であると判定しうる。そして、システム接続構成要素２０８は、長期間、基地局１０４の獲得を試みることを回避しうる。これは、例えば、回避タイマや、基地局１０４を回避するための回避タイマ構成要素２０６によって起動される別のタイマに少なくとも部分的に基づきうる。同様に、その他何れの基地局も、同じ無線通信システムのための範囲内に無い場合、システム接続構成要素２０８は、より長く設定された期間、無線通信システムのどの基地局をも回避しうる。
【００３４】
図３を参照して、逆方向リンク・チャネルの失敗または低信頼性が、一時的であるか、継続的であるかを判定する無線通信システム３００の例が示されている。システム３００は、デバイス１０２を含みうる。これは、上述したように、順方向リンク１０８および／または順方向リンク１１２で基地局１０４および／または基地局１０６と通信し、逆方向リンク１１０および／または逆方向リンク１１４による通信を試みうる。それに加えて、説明するように、基地局１０４および基地局１０６は、異なる無線通信システムに関連しうる。
【００３５】
デバイス１０２は、接続を試みる１または複数の基地局を位置決めしうる基地局検出構成要素２０２と、１または複数の基地局の逆方向リンク・チャネルに関連する低信頼性のレベルを判定する信頼性判定構成要素２０４とを備えうる。デバイス１０２はまた、基地局との逆方向リンクが確立されないか、または、信頼性が低いと判定されると、タイマを起動する回避タイマ構成要素２０６と、１または複数の基地局への接続を確立するシステム接続構成要素２０８と、１または複数の基地局への再選択を試みる再選択構成要素３０２と、を備える。デバイス１０２はさらに、回避されたシステムへのアクセスを試みるために、ＡＢＳＲタイマを起動するＡＢＳＲタイマ構成要素３０４と、範囲内の他の基地局の位置決めを試みるために、１または複数のＯｏＳ手順を実行するサービス停止（ＯｏＳ）構成要素３０６と、を備える。
【００３６】
例によれば、説明するように、基地局検出構成要素２０２は、例えば基地局１０４および基地局１０６のように、デバイス１０２の範囲内の１または複数の基地局を判定しうる。そして、信頼性判定構成要素２０４は、１または複数の基地局のうちの少なくとも１つが、信頼性の高い逆方向リンク・チャネルを有しているかを判定しうる。一例において、基地局検出構成要素２０２は、基地局１０４が、所望の無線通信システムにあること、および／または、順方向リンク・チャネル１０８が、基地局１０４と通信するために十分な品質であること、を判定しうる。しかしながら、信頼性判定構成要素２０４は、説明するように、（例えば、ＭＡＰＥを経験することに少なくとも部分的に基づいて、）逆方向リンク・チャネル１１０が低信頼性であるか、および／または、低信頼性のレベル、を判定しうる。
【００３７】
この場合、説明するように、信頼性判定構成要素２０４は、逆方向リンク・チャネル１１０との問題が、一時的であるか、または、継続的であるかを判定しうる。一例において、信頼性判定構成要素２０４はまず、説明したように、逆方向リンク・チャネル１０８問題が一時的であると仮定し、システム接続構成要素２０８によるさらなるアクセス試行を保留にする。したがって、例えば、信頼性判定構成要素２０４は、基地局１０４を回避リストに追加しうる。そして、回避タイマ構成要素２０６は、基地局１０４、および／または、同じ無線通信システムの、および／または、同じチャネルを用いる基地局を回避するために、関連付けられたタイマを起動しうる。例えば、ハードコードされた値、設定された値、またはその他の固定された値に少なくとも部分的に基づいて、無線通信システムにアクセスするための試行履歴等（例えば、ＭＡＰＥの経験後に最後にアクセスを取得したことに関連するタイマ値等）に少なくとも部分的に基づいて、タイマを起動しうる。
【００３８】
しかしながら、基地局１０４は、例えば基地局１０６のような、エリア内の他の基地局に比べて、好適な無線通信システムのものでありうることが認識されるべきである。この点に関し、説明されるように、システム接続構成要素２０８は、信頼性判定構成要素２０４が、（例えば、優先度が低い無線通信システムの他の基地局と通信している間、このような通信を開始すること等のように）基地局１０４が回避されるべきと宣言した後でさえも、基地局１０４にアクセスすることを試みうる。したがって、一例において、再選択構成要素３０２は、１または複数の基地局への再選択を試みる際に、回避リスト内のシステムを考慮しうる。ここで、これらシステムは、現在の無線通信システムと同じ優先度またはそれよりも高い優先度のシステムからなる。一例において、再選択構成要素３０２は、信頼性判定構成要素２０４が逆方向リンク・チャネル１１０が信頼性が低いと認識した後に、最適化されたサイレント・リダイヤル（ＯＳＲ）を実行しうる。そして、ＯＳＲを実行している場合、回避されたシステムを考慮しうる。したがって、例えば、基地局検出構成要素２０２は、基地局１０４を再び獲得しうる。そして、逆方向リンク・チャネル１１０が、ＯＳＲの一部として、基地局１０４と通信するのに十分であると信頼性判定構成要素２０４が判定した場合には、システム接続構成要素２０８は、前の逆方向リンク・チャネル１１０失敗は一時的なものであったと判定し、基地局１０４へのアクセスを試みうる。アクセスが許可された場合、例えば、回避タイマ構成要素２０６は、回避タイマを停止させうる。
【００３９】
別の例において、逆方向リンク・チャネル１１０がＯＳＲ中に基地局１０４と通信するのに不十分であると、信頼性判定構成要素２０４が認識した場合、回避タイマ構成要素２０６が、基地局１０４のために関連付けられた回避タイマを動作し続けうる。そして、基地局検出構成要素２０２は、他の無線通信システムを評価しうる。例えば、基地局検出構成要素２０２は、基地局１０６を取得しうる。そして、信頼性判定構成要素２０４は、逆方向リンク・チャネル１１４を測定し、基地局１０６と通信するのに十分であると判定しうる。この例では、システム接続構成要素２０８は、基地局１０６にアクセスしうる。何れの場合も、回避タイマ構成要素２０６は、タイマが時間切れになるまで、および／または、再選択構成要素３０２が基地局１０４、または、同じ無線通信システムの他の基地局と通信可能となるまで、回避タイマをリセットしない。例えば、基地局１０４は、より好適な無線通信システムに関連付けられているので、再選択構成要素３０２は、基地局１０４が回避リストにあろうとも、少なくとも、逆方向リンク・チャネル１１０問題が継続的であると信頼性判定構成要素２０４が判定するまで、基地局１０４へのアクセスを試みうる。
【００４０】
したがって、例では、再選択構成要素３０２が、より好適な無線通信システムの基地局が、範囲内にある（例えば、基地局１０６との確立された接続を有する間である）かを判定するために、ベター・サービス再選択（ＢＳＲ：better service reselection）を実行しうる。例えば、基地局１０４の無線通信システムのようなシステムまたは関連する基地局が、回避リスト内にある場合、再選択構成要素３０２は、回避されたシステムをも考慮するために、ＡＢＳＲを実行しうる。この点に関し、例えば、基地局検出構成要素２０２は、説明するように、基地局１０４を獲得しうる。そして、信頼性判定構成要素２０４は、説明するように、逆方向リンク・チャネル１１０が信頼性が高いかを認識しうる。信頼性が高いと認識された場合、システム接続構成要素２０８は、基地局１０４へのアクセスを試みうる。信頼性が高いと認識されなかった場合、回避タイマ構成要素２０６は、回避タイマを動作し続ける。
【００４１】
さらに、信頼性判定構成要素２０４が、逆方向リンク・チャネルが信頼性が低いと認識した場合、ＡＢＳＲタイマ構成要素３０４は、次のＡＢＳＲを実行するために、ＡＢＳＲタイマを起動する。再選択構成要素３０２が、別のＢＳＲを実行する前に、回避されたシステムへの再選択を行うことなく、複数のＡＢＳＲを実行できるような値に、ＡＢＳＲタイマ構成要素３０４が、ＡＢＳＲタイマを初期化しうることが認識されるべきである。この点に関し、例えば、デバイス１０２は、ＡＢＳＲタイマのものよりも大きな初期値を有するＢＳＲタイマをも利用しうる。別の例では、再選択構成要素３０２は、ＢＳＲ試行毎に設定されたＡＢＳＲ試行回数を決定しうる。そして、ＡＢＳＲタイマ構成要素３０４は、ＡＢＳＲ試行回数およびＢＳＲタイマ値にしたがってＡＢＳＲタイマ初期値を認識しうる。さらに、例えば、再選択構成要素３０２は、システム毎、基地局毎、またはチャネル毎にＡＢＳＲ試行のカウンタを管理しうる。そして、決定されたＡＢＳＲ試行回数に一致させるために、各試行後、カウンタをデクリメントしうる。別の例では、ＡＢＳＲタイマ構成要素３０４は、例えば、再選択構成要素３０２がさほど好適ではないシステムを再選択すること、デバイス１０２がコールをリリースすること、デバイス１０２がさほど好適ではないシステムから限定されたサービスを獲得すること等のような１または複数のイベントに少なくとも部分的に基づいてＡＢＳＲタイマを起動しうる。
【００４２】
さらに、ＡＢＳＲ試行の合計数が、（例えば、回避タイマに関して上述したように、設定に基づいて、無線通信システムまたはその他のシステムへの試行履歴に基づいて、）再選択構成要素３０２によって判定されうる。関連するカウンタはまた、ＡＢＳＲ試行総数に関し、再選択構成要素３０２によってデクリメントされうる。システム接続構成要素２０８は、ある無線通信システムおよび／または基地局（例えば、基地局１０４のような）に関し、ＡＢＳＲ試行総数に達した後、逆方向リンク・チャネル１１０低信頼性が継続的であると判定しうる。そして、回避タイマ構成要素２０６において、回避タイマの持続期間の間、基地局１０４および／または関連する無線通信システムを回避しうる。この点に関し、例えば、デバイス１０２は、逆方向リンク・チャネル低信頼性が、好適なシステムのために一時的のみであるとデバイス１０２が判定することを可能にしながら、好適なシステムを探索するために以前に必要とされた電力を節約しうる。
【００４３】
さらに、例えば、信頼性判定構成要素２０４は、（例えば、ＯＳＲであるかＡＢＳＲであるかのように）逆方向リンク・チャネル１１０が再選択中に十分信頼性が高いかを認識している場合、システム接続構成要素２０８は、アクセスが基地局１０４において迅速にトリガされるかを判定しうる。例において、これは、登録が基地局１０４において最新であるか、および／または、関連する無線通信システムであるかを判定することを含みうる。そう判定されなかった場合、再選択構成要素３０２は、（もしも存在すれば）次に高い順番の基地局への再選択を試行し、このシステムを回避し続ける。一方、そう判定された場合、システム接続構成要素２０８が、システムへ接続し、信頼性判定構成要素２０４が、回避リストからこのシステムを削除し、回避タイマ構成要素２０６が、このシステムに関する回避タイマをキャンセルしうる。
【００４４】
再選択構成要素３０２が、再選択のために、適切な基地局、または、関連する無線通信システムを位置決めできない場合、ＯｏＳ構成要素３０６は、ＯｏＳ手順を実行しうる。例えば、基地局１０４に関連する無線通信システムのようなシステムが回避リスト内にある場合、ＯｏＳ構成要素３０６は、回避されたＯｏＳ（ＡＯｏＳ）手順を実行しうる。これによって、回避されたシステムが探索され、もしも獲得されれば、システム接続構成要素２０８は、登録が最新である場合、アクセスを試みることができるようになりうる。登録が最新ではない場合、ＯｏＳ構成要素３０６は、回避されたシステムを求める探索を行わないＯｏＳ手順を実行しうる。
【００４５】
図４に移って、回避されたシステムがＢＳＲの間に探索されるようになる無線通信ネットワーク４００の例が図示される。ネットワーク４００は、説明するように、基地局１０４および／または基地局１０６へのアクセスを試みるデバイス１０２を含みうる。デバイス１０２は、説明するように、基地局１０４から順方向リンク・チャネル信号を受信し、周波数Ｆ１を有する対応する逆方向リンク・チャネルを用いて接続することを試みうる。デバイス１０２は、４０２において、基地局１０４への登録中、Ｆ１におけるＭＡＰＥを経験しうる。例では、これが最初のアクセス試行である場合、デバイス１０２は、基地局１０４のシステムに関連する回避タイマを起動し、このシステム、基地局１０４、または、関連するチャネルを、回避リストに追加しうる。さらに、デバイス１０２は、例えば、範囲内にありうる任意の他の基地局に関するＭＡＰＥを経験し、基地局１０４と同じシステムを用いて通信しうる。説明するように、この例では、デバイス１０２は、別のシステムへのアクセスを試みうる。この点に関し、デバイス１０２は、４０４において、基地局１０６を利用するＯｏＳ探索の間、周波数Ｆ２でシステムを獲得しうる。さらに、デバイス１０２は、この時点において、ある将来の時間において、より良好なシステムを求める探索をするために、ＢＳＲタイマを起動しうる。
【００４６】
それに加えて、デバイス１０２は、基地局１０４がアクセスされうるか、または、同じシステムの基地局がアクセスされうるかを判定するために、４０６において、Ｆ１におけるＡＢＳＲを開始しうる。なぜなら、基地局１０４は、基地局１０６よりも高い優先度にあるからである。デバイス１０２は、４０８において、回避されたシステムを、Ｆ１において獲得しうるが、ＭＡＰＥは、基地局１０４との登録中に生じうる。この点において、デバイス１０２は、このシステムを回避リストに維持し、タイマを動作し続けうる。デバイス１０２は、４１０において、基地局１０６を利用するＯｏＳ探索の間、周波数Ｆ２でシステムを獲得しうる。さらに、説明するように、デバイス１０２は、ＡＢＳＲタイマを起動しうる。これは、ＢＳＲタイマの間、１または複数のタイマを終了させる。これによって、ＡＢＳＲは、回避されたより好適なシステムへのアクセスを試みるために、ＢＳＲよりもより頻繁に実行されうる。デバイス１０２は、（例えば、ＡＢＳＲタイマが終了すると、）４１２において、Ｆ１で別のＡＢＳＲを開始しうる。そして、４１４では、Ｆ１において、回避されたシステムを再び取得しうる。しかしながら、ＭＡＰＥは、基地局１０４との登録中に生じうる。この点において、デバイス１０２は、このシステムを回避リストに維持し、タイマを動作し続けうる。デバイス１０２は再度、４１６において、基地局１０６を利用するＯｏＳ探索の間、周波数Ｆ２でシステムを獲得しうる。
【００４７】
さらに、説明するように、デバイス１０２は、ＡＢＳＲ４０６およびＡＢＳＲ４１２おのおのにおいて、１または複数のＡＢＳＲカウンタをデクリメントしうる。したがって、指定された回数のＡＢＳＲが実行されると、デバイス１０２は、逆方向リンク・チャネルにおける持続的な低信頼性を有するために、Ｆ１において、基地局１０４および／または関連するシステムを考慮しうる。したがって、デバイス１０２は、少なくとも、回避タイマが終了するまで、システムを回避しうる。この例において、４１８において、回避タイマがキャンセルされうる。終了前に、回避されたシステムとは別のシステムのために、別のＢＳＲが実行されうることが認識されるべきである。タイマがキャンセルされた後、このシステムは、４２０において、回避リストから削除されうる。したがって、その後のＢＳＲ、ＯｏＳ、または類似の手順が、以前に回避されたシステムへのアクセスを試みうる。さらに、前述したＡＢＳＲに関連して示され、また、前の図面で説明されたように、ＯＳＲを実行している場合、類似のステップが利用されうることが認識されるべきである。
【００４８】
図５を参照して、ＢＳＲの間、回避されたシステムにアクセスすることを試みる無線通信ネットワーク５００の例が示される。説明するように、ネットワーク５００は、基地局１０４および／または基地局１０６へのアクセスを試みるデバイス１０２を含みうる。デバイス１０２は、説明するように、基地局１０４から順方向リンク・チャネル信号を受信し、周波数Ｆ１を有する対応する逆方向リンク・チャネルを用いて接続することを試みうる。デバイス１０２は、４０２において、基地局１０４との登録の間、ＭＡＰＥを経験しうる。例では、これが最初のアクセス試行である場合、デバイス１０２は、基地局１０４のシステムに関連する回避タイマを起動し、このシステム、基地局１０４、または、関連するチャネルを、回避リストに追加しうる。さらに、デバイス１０２は、例えば、範囲内にありうる任意の他の基地局に関するＭＡＰＥを経験し、基地局１０４と同じシステムを用いて通信しうる。説明するように、デバイス１０２は、別のシステムへのアクセスを試みうる。この点に関し、デバイス１０２は、４０４において、基地局１０６を利用するＯｏＳ探索の間、周波数Ｆ２でシステムを獲得しうる。さらに、デバイス１０２は、この時点において、ある時間において、より良好なシステムを求めて探索するために、ＢＳＲタイマを起動しうる。
【００４９】
それに加えて、デバイス１０２は、基地局１０４がアクセスされうるか、または、同じシステムの基地局がアクセスされうるかを判定するために、４０６において、Ｆ１におけるＡＢＳＲを開始しうる。なぜなら、基地局１０４は、基地局１０６よりも高い優先度にあるからである。デバイス１０２は、５０２において、（例えば、ＭＡＰＥが生じることなく）回避されたシステムをＦ１において獲得しうる。この点において、デバイス１０２は、５０４において、（例えば、登録、開始等に基づいて、）基地局１０４においてアクセス試行が直ちにトリガされうると判定しうる。したがって、デバイス１０２は、５０６において、基地局１０４に接続しうる。さらに、この点において、デバイス１０２は、５０８において、回避リストから、基地局１０４のシステムを削除し、５１０において、関連する回避タイマ５１０をキャンセルしうる。さらに、前述したＡＢＳＲに関連して示され、また、前の図面で説明されたように、ＯＳＲを実行している場合、類似のステップが利用されうることが認識されるべきである。
【００５０】
図６を参照して、ＢＳＲの間、回避されたシステムにアクセスすることを試みる無線通信ネットワーク６００の例が示される。説明するように、ネットワーク６００は、基地局１０４および／または基地局１０６へのアクセスを試みるデバイス１０２を含みうる。デバイス１０２は、説明するように、基地局１０４から順方向リンク・チャネル信号を受信し、周波数Ｆ１を有する対応する逆方向リンク・チャネルを用いて接続することを試みうる。デバイス１０２は、４０２において、基地局１０４との登録の間、ＭＡＰＥを経験しうる。例では、これが最初のアクセス試行である場合、デバイス１０２は、基地局１０４のシステムに関連する回避タイマを起動し、このシステム、基地局１０４、または、関連するチャネルを、回避リストに追加しうる。さらに、デバイス１０２は、例えば、範囲内にありうる任意の他の基地局に関するＭＡＰＥを経験し、基地局１０４と同じシステムを用いて通信しうる。説明するように、デバイス１０２は、別のシステムへのアクセスを試みうる。この点に関し、デバイス１０２は、４０４において、基地局１０６を利用するＯｏＳ探索の間、周波数Ｆ２でシステムを獲得しうる。さらに、デバイス１０２は、この時点において、ある時間において、より良好なシステムを求める探索をするために、ＢＳＲタイマを起動しうる。
【００５１】
さらに、デバイス１０２は、基地局１０４がアクセスされうるか、または、同じシステムの基地局がアクセスされうるかを判定するために、４０６において、Ｆ１におけるＡＢＳＲを開始しうる。なぜなら、基地局１０４は、基地局１０６よりも高い優先度にあるからである。デバイス１０２は、（例えば、ＭＡＰＥが生じることなく）回避されたシステムをＦ１において獲得しうる。この点において、デバイス１０２は、６０２において、（例えば、登録、開始等に基づいて、）基地局１０４においてアクセス試行が直ちにトリガされないと判定しうる。したがって、デバイス１０２は、上述したように、６０４において、基地局１０６を利用するＯｏＳ探索の間、周波数Ｆ２でシステムを獲得しうる。デバイスは、回避タイマを起動し続け、および／または、追加のＡＢＳＲを実行し続けることが認識されるべきである。期間後、前述したように、デバイス１０２は、４１８において、回避タイマをキャンセルし、４２０において、回避リストからシステムを削除しうる。さらに、前述したＡＢＳＲに関連して示され、また、前の図面で説明されたように、ＯＳＲを実行している場合、類似のステップが利用されうることが認識されるべきである。
【００５２】
図７に移って、ＡＯｏＳ手順を実行する無線通信ネットワーク７００の例が図示されている。説明するように、ネットワーク７００は、基地局１０４および／または基地局１０６へのアクセスを試みるデバイス１０２を含みうる。デバイス１０２は、説明するように、基地局１０４から順方向リンク・チャネル信号を受信し、周波数Ｆ１を有する対応する逆方向リンク・チャネルを用いて接続することを試みうる。デバイス１０２は、４０２において、基地局１０４との登録の間、ＭＡＰＥを経験しうる。例では、これが最初のアクセス試行である場合、デバイス１０２は、基地局１０４のシステムに関連する回避タイマを起動し、このシステム、基地局１０４、または、関連するチャネルを、回避リストに追加しうる。さらに、デバイス１０２は、例えば、範囲内にありうる任意の他の基地局に関するＭＡＰＥを経験し、基地局１０４と同じシステムを用いて通信しうる。デバイス１０２はその後、７０２において、別のシステムにおいて、１または複数の別の基地局を求める探索を行うか、あるいは、および／または、説明したように、（例えば、ＯＳＲ、ＡＢＳＲ等で）基地局１０４とのさらなるアクセスを試みうる。例では、別の基地局が発見されないか、および／または、ある期間、基地局１０４とのアクセスがなされない場合、デバイス１０２は、７０４において、基地局１０４および／または関連するシステムとの登録が最新であると判定しうる。そして、７０６において、ＡＯｏＳ状態に移行しうる。この点において、デバイス１０２は、回避リスト内にあるものの、基地局１０４を含む基地局とのアクセスを試みうる。アクセスの無い期間後、デバイスは、前述したように、４１８において、回避タイマをキャンセルし、４２０において、このシステムを回避リストから削除しうる。
【００５３】
図８を参照して、ＯｏＳ手順を実行するための無線通信ネットワーク８００の例が例示されている。説明するように、ネットワーク８００は、基地局１０４および／または基地局１０６へのアクセスを試みるデバイス１０２を含みうる。デバイス１０２は、説明するように、基地局１０４から順方向リンク・チャネル信号を受信し、周波数Ｆ１を有する対応する逆方向リンク・チャネルを用いて接続することを試みうる。デバイス１０２は、４０２において、基地局１０４との登録の間、ＭＡＰＥを経験しうる。例では、これが最初のアクセス試行である場合、デバイス１０２は、基地局１０４のシステムに関連する回避タイマを起動し、このシステム、基地局１０４、または、関連するチャネルを、回避リストに追加しうる。さらに、デバイス１０２は、例えば、範囲内にありうる任意の他の基地局に関するＭＡＰＥを経験し、基地局１０４と同じシステムを用いて通信しうる。デバイス１０２はその後、７０２において、別のシステムにおいて、１または複数の別の基地局を求める探索を行うか、あるいは、および／または、説明したように、（例えば、ＯＳＲ、ＡＢＳＲ等で）基地局１０４とのさらなるアクセスを試みうる。例では、別の基地局が発見されないか、および／または、ある期間、基地局１０４とのアクセスがなされない場合、デバイス１０２は、８０２において、基地局１０４および／または関連するシステムとの登録が最新ではないと判定しうる。そして、８０４において、ＯｏＳ状態に移行しうる。この点において、説明するように、デバイス１０２は、回避リスト内にあるものの、登録は最新ではないので、基地局１０４を除く基地局とのアクセスを試みうる。アクセスの無い期間後、デバイスは、前述したように、４１８において、回避タイマをキャンセルし、４２０において、このシステムを回避リストから削除しうる。
【００５４】
図９−１０を参照して、無線通信におけるシステムへの接続試行を回避することに関連する方法の例が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５５】
図９に移って、判定された低信頼性のレベルに基づいてシステムを回避することを容易にする方法９００の例が示される。９０２では、順方向リンク・チャネルでシステムから通信が受信されうる。説明するように、この通信は、高いＳＮＲを持ち、システムは、接続が望まれる好適なシステムでありうる。９０４では、システムの逆方向リンク・チャネルに関連する低信頼性のレベルが判定されうる。説明するように、例えば、低信頼性は、システムへの失敗したアクセス試行、不十分なＳＮＲ、および／または、逆方向リンク・チャネルに関連するリソース等を含みうる。９０６では、低信頼性のレベルに少なくとも部分的に基づいて、１または複数のタイマにしたがってシステムが回避されうる。したがって、一例で説明するように、低信頼性が一時的である場合、システムは、継続的である場合よりも短い期間の間、回避されうる。本明細書に記載されるように、低信頼性が一時的であると認識された場合、タイマの間、さまざまな手順が実行され、回避されたシステムへのアクセスが試みられる。
【００５６】
図１０に参照するように、判定された逆方向リンク・チャネル低信頼性が一時的または継続的である場合に、システムを回避することを容易にする方法１０００の例が例示される。１００２では、順方向リンク・チャネル信号が、最も好適な基地局から受信されうる。１００４では、一時的な低信頼性の逆方向リンク・チャネルがこの基地局のために判定され、この基地局（または関連するシステム）が、回避リストに追加されうる。そして、回避タイマが起動されうる。説明するように、低信頼性は、アクセス失敗、不十分なリソース、または品質等に少なくとも部分的に基づきうる。１００６では、回避リスト内のシステムを含む再選択が実行されうる。説明するように、この再選択は、（例えば、少なくとも、逆方向リンク失敗を判定する第１のインスタンスにおける）システムのためのＯＳＲを含みうる。１００８では、回避されたシステムが獲得されるかが判定されうる。獲得されると判定された場合、１０１０において、システムにおける登録が最新であるかが判定されうる。最新であると判定された場合、１０１２において、システムにアクセスされうるか（例えば、逆方向リンク・チャネルが、接続のための十分な信頼性を有しているか）が判定されうる。システムにアクセスできると判定された場合、システムは、１０１４において、回避リストから削除され、タイマがキャンセルされうる。
【００５７】
１００８において、回避されたシステムが獲得されない場合、１０１０において、登録が最新ではない場合、１０１２において、このシステムにアクセスできない場合、１０１６において、ＡＢＳＲが終了したかが判定されうる。これは、ＡＢＳＲタイマが終了したか、（例えば、ＢＳＲ期間中に）設定された回数、ＡＢＳＲ試行がなされたか、等を確認することを含みうる。確認されなかった場合、１００６において、（例えば、ＡＢＳＲのような）回避リスト内のシステムを含む再選択が実行されうる。１０１６において、ＡＢＳＲが終了した場合、１０１８において、基地局の低信頼性の逆方向リンク・チャネルが継続的であると判定されうる。これに関し、１０２０において、ＢＳＲが、回避されたシステムへのアクセスを試みることなく実行されうる。ＢＳＲ手順（例えば、別のシステムは再選択されるか、または、ＢＳＲタイマが終了した）後、１０２２において、ＢＳＲにおいて新たなシステムが選択されたかが判定されうる。新たなシステムが選択された場合、（例えば、回避タイマが終了しない限り）回避リスト内のシステムを含む再選択が実行されうる。新たなシステムが選択されない場合、１０２４において、回避タイマが終了しているかが判定されうる。終了していると判定されなかった場合、１００６において、回避リスト内のシステムを含む再選択が実行されうる。終了していると判定された場合、１０２６において、システム登録が最新であるかが判定されうる。最新であると判定されなかった場合、１０２８において、ＯｏＳが宣言される。また、最新であると判定された場合、１０３０において、ＡＯｏＳが宣言される。
【００５８】
本明細書に記載された１または複数の態様によれば、説明するように、推論は、逆方向リンク・チャネルが信頼できるか否か、低信頼性のレベル等を判定することに関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５９】
図１１を参照して、逆方向リンク・チャネルの低信頼性に少なくとも部分的に基づいて、システムを回避するシステム１１００が例示される。例えば、システム１１００は、基地局、モバイル・デバイス等の中に少なくとも部分的に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、順方向リンク・チャネルによってシステムから通信を受信するための電子構成要素１１０４を含みうる。説明するように、例えば、順方向リンク・チャネルは、基地局からさらなる通信を受信するのに十分なラジオ条件を示しうるので、ここへの接続が試みられうる。この点に関し、論理グループ１１０２は、システムの逆方向リンク・チャネルに関連する低信頼性のレベルを判定するための電子構成要素１１０６を備えうる。
【００６０】
説明するように、例えば、これは、基地局へのアクセスを試みることと、逆方向リンク・チャネルが、基地局との通信のために十分なラジオ条件を有しているかを判定することと、に少なくとも部分的に基づいて判定されうる。さらに、論理グループ１００２は、低信頼性のレベルに少なくとも部分的に基づいて、タイマにしたがってシステムを回避するための電子構成要素１１０８を備えうる。説明するように、電子構成要素１１０８は、逆方向リンク・チャネルが一時的に低信頼性であるのか、継続的に低信頼性であるのかに基づいて、ある期間、システムを回避しうる。さらに、例えば、電子構成要素１１０８は、先ず一時的な低信頼性を仮定しうる。そして、低信頼性が継続的であるものと考慮するかを判定するためのさまざまな手順を実行しうる。さらに、システム１１００は、電子構成要素１１０４、１１０６、１１０８に関連付けられた機能を実行するための命令群を保持するメモリ１１１０を含みうる。メモリ１１１０の外側にあるとして示されているが、電子構成要素１１０４、１１０６、１１０８のうちの１または複数は、メモリ１１１０内に存在しうることが理解されるべきである。
【００６１】
図１２に示すように、本明細書に記載されたさまざまな実施形態にしたがった無線通信システム１２００が例示されている。システム１２００は、複数のアンテナ・グループを含むことができる基地局１２０２を含む。例えば、１つのアンテナ・グループは、アンテナ１２０４およびアンテナ１２０６を含むことができ、別のグループはアンテナ１２０８およびアンテナ１２１０を備えることができ、さらに別のグループはアンテナ１２１２およびアンテナ１２１４を含むことができる。おのおののアンテナ・グループについて２本のアンテナしか例示されていないが、２本より多いアンテナ、または２本より少ないアンテナも、各グループのために利用されうる。基地局１２０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００６２】
基地局１２０２は、例えばモバイル・デバイス１２１６およびモバイル・デバイス１２２２のような１または複数のモバイル・デバイスと通信しうる。しかしながら、基地局１２０２は、モバイル・デバイス１２１６およびモバイル・デバイス１２２２に類似した実質的に任意の数のモバイル・デバイスと通信しうることが理解されるべきである。モバイル・デバイス１２１６、１２２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１２００を介して通信するのに適切なその他任意のデバイスでありうる。図示するように、モバイル・デバイス１２１６は、アンテナ１２１２およびアンテナ１２１４と通信している。ここで、アンテナ１２１２およびアンテナ１２１４は、順方向リンク１２１８によってモバイル・デバイス１２１６へ情報を送信し、逆方向リンク１２２０によってモバイル・デバイス１２１６から情報を受信する。さらに、モバイル・デバイス１２２２はアンテナ１２０４およびアンテナ１２０６と通信している。ここで、アンテナ１２０４およびアンテナ１２０６は、順方向リンク１２２４でアクセス端末１２２２へ情報を送信し、逆方向リンク１２２６でアクセス端末１２２２から情報を受信する。周波数分割デュプレクス（ＦＤＤ）システムでは、例えば、順方向リンク１２１８は、逆方向リンク１２２０によって使用されるものとは異なる周波数帯域を使用し、順方向リンク１２２４は、逆方向リンク１２２６によって使用されるものとは異なる周波数帯域を使用することができる。さらに、時分割デュプレクス（ＴＤＤ）システムでは、順方向リンク１２１８および逆方向リンク１２２０は、共通の周波数帯域を使用し、順方向リンク１２２４および逆方向リンク１２２６は、共通の周波数帯域を使用することができる。
【００６３】
通信するように指定された領域および／またはアンテナのおのおののグループは、基地局１２０２のセクタと称されうる。例えば、基地局１２０２によってカバーされる領域のセクタ内のアクセス端末に通信するように、複数のアンテナが設計されうる。順方向リンク１２１８および順方向リンク１２２４による通信では、基地局１２０２の送信アンテナは、モバイル・デバイス１２１６およびモバイル・デバイス１２２２のための順方向リンク１２１８および順方向リンク１２２４の信号対雑音比を改善するためにビームフォーミングを適用することができる。また、基地局１２０２が、関連付けられた有効通信範囲にランダムに散在したモバイル・デバイス１２１６、１２２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１２１６、１２２２は、図示するように、ピア・トゥ・ピアまたはアド・ホック技術を用いて互いにダイレクトに通信しうる。例によれば、システム１２００は、複数入力複数出力（ＭＩＭＯ）通信システムでありうる。
【００６４】
図１３は、無線通信システム１３００の例を示す。無線通信システム１３００は、簡潔さの目的で、１つの基地局１３１０と１つのモバイル・デバイス１３５０とを示している。しかしながら、システム１３００は、１より多い基地局、および／または、１より多いモバイル・デバイスを含むことができ、これら追加の基地局および／またはモバイル・デバイスは、以下に説明する基地局１３１０およびモバイル・デバイス１３５０の例と実質的に同じでも、別のものでもありうることが認識されるべきである。それに加えて、基地局１３１０および／またはモバイル・デバイス１３５０は、その間の無線通信を容易にするために、本明細書に記載されたシステム（図１−８、図１１−１２）、および／または方法（図９−１０）を適用しうることが認識されるべきである。例えば、本明細書に記載されたシステムおよび／または方法の構成要素または機能は、後述するメモリ１３３２および／またはメモリ１３７２、または、プロセッサ１３３０および／またはプロセッサ１３７０の一部であり、および／または、開示された機能を実行するために、プロセッサ１３３０および／またはプロセッサ１３７０によって実行されうる。
【００６５】
基地局１３１０では、多くのデータ・ストリームのためのトラフィック・データが、データ・ソース１３１２から送信（ＴＸ）データ・プロセッサ１３１４へ提供される。一例によれば、おのおののデータ・ストリームが、それぞれのアンテナを介して送信される。ＴＸデータ・プロセッサ１３１４は、トラフィック・データ・ストリームをフォーマットし、このデータ・ストリームのために選択された特定の符号化スキームに基づいて符号化し、インタリーブして、符号化されたデータを提供する。
【００６６】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１３５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１３３０によって実行または提供される命令によって決定されうる。
【００６７】
データ・ストリームの変調シンボルは、（例えば、ＯＦＤＭのために）変調シンボルを処理するＴＸ  ＭＩＭＯプロセッサ１３２０に提供される。ＴＸ  ＭＩＭＯプロセッサ１３２０はその後、ＮＴ個のシンボル・ストリームを、ＮＴ個の送信機（ＴＭＴＲ）１３２２ａ乃至１３２２ｔへ提供する。さまざまな実施形態において、ＴＸ  ＭＩＭＯプロセッサ１３２０は、データ・ストリームのシンボル、および、そのシンボルが送信されるアンテナへ、ビームフォーミング重みを適用する。
【００６８】
おのおのの送信機１３２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１３２２ａ乃至１３２２ｔからのＮＴ個の変調信号は、ＮＴ個のアンテナ１３２４ａ乃至１３２４ｔそれぞれから送信される。
【００６９】
モバイル・デバイス１３５０では、送信された変調信号が、ＮＲ個のアンテナ１３５２ａ乃至１３５２ｒによって受信され、各アンテナ１３５２からの受信信号が、それぞれの受信機（ＲＣＶＲ）１３５４ａ乃至１３５４ｒへ提供される。おのおのの受信機１３５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７０】
ＲＸデータ・プロセッサ１３６０は、ＮＲ個の受信機１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１３６０は、検出されたおのおののシンボル・ストリームを復調し、デインタリーブし、復号して、そのデータ・ストリームのためのトラフィック・データを復元する。ＲＸデータ・プロセッサ１３６０による処理は、基地局１３１０におけるＴＸ  ＭＩＭＯプロセッサ１３２０およびＴＸデータ・プロセッサ１３１４によって実行されるものと相補的である。
【００７１】
プロセッサ１３７０は、上述したように、どの事前符号化行列を使用するのかを定期的に決定する。さらに、プロセッサ１３７０は、行列インデクス部およびランク値部を備えた逆方向リンク・メッセージを規定することができる。
【００７２】
逆方向リンク・メッセージは、通信リンクおよび／または受信されたデータ・ストリームに関するさまざまなタイプの情報を備えうる。逆方向リンク・メッセージは、データ・ソース１３３６から多くのデータ・ストリームのトラフィック・データをも受信するＴＸデータ・プロセッサ１３３８によって処理され、変調器１３８０によって変調され、送信機１３５４ａ乃至１３５４ｒによって調整され、基地局１３１０へ送り戻される。
【００７３】
基地局１３１０では、モバイル・デバイス１３５０からの変調信号が、アンテナ１３２４によって受信され、受信機１３２２によって調整され、復調器１３４０によって復調され、ＲＸデータ・プロセッサ１３４２によって処理されて、モバイル・デバイス１３５０によって送信された逆方向リンク・メッセージが抽出される。さらに、プロセッサ１３３０は、ビームフォーミング重みを決定するためにどの事前符号化行列を使用するかを決定するために、この抽出されたメッセージを処理する。
【００７４】
プロセッサ１３３０およびプロセッサ１３７０は、基地局１３１０およびモバイル・デバイス１３５０それぞれにおける動作を指示（例えば、制御、調整、管理等）する。プロセッサ１３３０およびプロセッサ１３７０はそれぞれ、プログラム・コードおよびデータを格納するメモリ１３３２およびメモリ１３７２に関連付けられうる。プロセッサ１３３０およびプロセッサ１３７０はまた、アップリンクおよびダウンリンクそれぞれのための周波数およびインパルス応答推定値を導出する計算をも実行する。
【００７５】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００７６】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００７７】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００７８】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、出願当初の特許請求の範囲に記載された発明を付記する。
［Ｃ１］
無線通信のための方法であって、
順方向リンク・チャネルでシステムから通信を受信することと、
前記システムの逆方向リンク・チャネルに関連する低信頼性のレベルを判定することと、
前記低信頼性のレベルに少なくとも部分的に基づいて、１または複数のタイマにしたがって前記システムを回避すること、
を備える方法。
［Ｃ２］
前記１または複数のタイマのうちの少なくとも１つが終了する前に回避されたシステムを含む、１または複数の再選択手順を実行することをさらに備え、
前記低信頼性のレベルを判定することは、前記１または複数の再選択手順の一部として前記システムがアクセスされるかを判定すること、に少なくとも部分的に基づく、Ｃ１に記載の方法。
［Ｃ３］
前記１または複数の再選択手順の一部として前記システムを獲得することをさらに備える、Ｃ２に記載の方法。
［Ｃ４］
アクセス試行が、前記システムにおいて直ちにトリガされるかを、前記システムを獲得することに少なくとも部分的に基づいて判定することに少なくとも部分的に基づいて、前記システムにアクセスすることをさらに備える、Ｃ３に記載の方法。
［Ｃ５］
前記逆方向リンク・チャネルの低信頼性のレベルが一時的であると判定することと、
前記システムにアクセスすると、前記１または複数のタイマのうちの少なくとも１つをキャンセルすることと、
をさらに備えるＣ４に記載の方法。
［Ｃ６］
アクセス試行が、前記システムにおいて直ちにトリガできないと判定することに少なくとも部分的に基づいて、前記システムを回避し続けること、をさらに備えるＣ３に記載の方法。
［Ｃ７］
前記逆方向リンク・チャネルの低信頼性のレベルが継続的であると判定することと、
前記１または複数のタイマのうちの少なくとも１つの残りの持続時間の間、前記システムを回避することと、
をさらに備え、
前記１または複数の再選択手順を実行することは、再選択手順をしきい回数実行することを含む、Ｃ２に記載の方法。
［Ｃ８］
前記システムへのアクセス試行履歴に少なくとも部分的に基づいて、前記再選択手順のしきい回数を合わせること、をさらに備えるＣ７に記載の方法。
［Ｃ９］
１または複数のベター・サービス再選択（ＢＳＲ）期間中、別のシステムと通信している間に前記システムの存在を判定すること、コールがリリースされたことを判定すること、前記別のシステムへの再選択を判定すること、または、前記別のシステムによって提供されているサービスにおける１または複数の制限を検出すること、に少なくとも部分的に基づいて、前記１または複数の再選択手順のうちの少なくとも１つを実行するために、回避されたシステムのベター・サービス再選択（ＡＢＳＲ）タイマを起動すること、をさらに備えるＣ２に記載の方法。
［Ｃ１０］
サービス停止手順を開始することをさらに備え、
前記判定することは、前記システムにアクセスすることなく、多くの再選択手順を実行することに少なくとも部分的に基づいて、前記逆方向リンク・チャネルの低信頼性のレベルが継続的であると判定することを含む、Ｃ１に記載の方法。
［Ｃ１１］
前記システムに関連する登録状態が最新であると判定することをさらに備え、
前記開始することは、前記登録状態に基づいて、回避されたシステムのサービス停止を開始することを含む、Ｃ１０に記載の方法。
［Ｃ１２］
前記システムに関連する登録状態が最新ではないと判定することをさらに備え、
前記開始することは、前記登録状態に基づいて、前記システムを探索しない、システムのサービス停止を開始することを含む、Ｃ１０に記載の方法。
［Ｃ１３］
前記１または複数のタイマのうちの少なくとも１つを再起動することと、
前記少なくとも１つのタイマが終了すると、前記システムへのアクセスを試みることと、
をさらに備えるＣ１０に記載の方法。
［Ｃ１４］
前記システムへの以前のアクセス試行に少なくとも部分的に基づいて、前記１または複数のタイマを合わせること、をさらに備えるＣ１に記載の方法。
［Ｃ１５］
システムを回避するための装置であって、
順方向リンク・チャネルでシステムから１または複数の信号を受信し、
前記システムの逆方向リンク・チャネルに関連する低信頼性のレベルが、一時的であるか、または継続的であるかを区別し、
タイマおよび前記低信頼性のレベルに少なくとも部分的に基づいて、１または複数の再選択手順の間、前記システムを回避する
ように構成された少なくとも１つのプロセッサと、
前記少なくとも１つのプロセッサに接続されたメモリと、
を備える装置。
［Ｃ１６］
前記少なくとも１つのプロセッサはさらに、前記タイマの終了前に、前記１または複数の再選択手順を実行するように構成され、
前記少なくとも１つのプロセッサは、前記低信頼性のレベルが一時的であると認識する、Ｃ１５に記載の装置。
［Ｃ１７］
前記少なくとも１つのプロセッサはさらに、前記１または複数の再選択手順の一部として前記システムを獲得するように構成された、Ｃ１６に記載の装置。
［Ｃ１８］
前記少なくとも１つのプロセッサはさらに、
アクセス試行が、前記システムにおいて直ちにトリガされると判定することに少なくとも部分的に基づいて、前記システムにアクセスし、
前記システムにアクセスすると、前記低信頼性のレベルが一時的であると認識することに少なくとも部分的に基づいて、前記タイマをキャンセルする、
ように構成されたＣ１７に記載の装置。
［Ｃ１９］
前記少なくとも１つのプロセッサはさらに、前記低信頼性が継続的であると判定することに少なくとも部分的に基づいて、前記タイマの残りの持続時間の間、前記システムを回避するように構成され、
前記１または複数の再選択手順は、しきい回数の再選択手順を含む、Ｃ１６に記載の装置。
［Ｃ２０］
前記少なくとも１つのプロセッサはさらに、前記低信頼性が継続的であると認識することに少なくとも部分的に基づいてサービス停止手順を開始するように構成され、
前記１または複数の再選択手順は、しきい回数の再選択手順を含む、Ｃ１５に記載の装置。
［Ｃ２１］
前記少なくとも１つのプロセッサはさらに、前記システムに関連する登録状態が最新であると判定するように構成され、
前記サービス停止手順は、回避されたサービス停止手順である、Ｃ２０に記載の装置。
［Ｃ２２］
前記少なくとも１つのプロセッサはさらに、前記タイマを再起動し、前記タイマが終了すると、前記システムへのアクセスを試みるように構成された、Ｃ２０に記載の装置。
［Ｃ２３］
システム回避を提供するための装置であって、
順方向リンク・チャネルでシステムから通信を受信する手段と、
前記システムの逆方向リンク・チャネルに関連する低信頼性のレベルを判定する手段と、
前記低信頼性のレベルに少なくとも部分的に基づいて、タイマにしたがって前記システムを回避する手段と、
を備える装置。
［Ｃ２４］
前記タイマの終了前に、回避されたシステムを含む１または複数の再選択手順を実行する手段をさらに備え、
前記判定する手段は、前記１または複数の再選択手順の一部として前記システムがアクセスされるかを判定することに少なくとも部分的に基づいて、前記低信頼性のレベルを判定する、Ｃ２３に記載の装置。
［Ｃ２５］
前記システムを回避する手段は、前記１または複数の再選択手順の一部として前記システムを獲得する、Ｃ２４に記載の装置。
［Ｃ２６］
前記システムを回避する手段は、アクセス試行が、前記システムにおいて直ちにトリガされると判定することに少なくとも部分的に基づいて、前記システムにアクセスする、Ｃ２５に記載の装置。
［Ｃ２７］
前記システムへアクセスすると、前記タイマをキャンセルする手段をさらに備え、
前記判定する手段は、前記逆方向リンク・チャネルの低信頼性のレベルが一時的であると判定する、Ｃ２６に記載の装置。
［Ｃ２８］
前記判定する手段は、前記逆方向リンク・チャネルの低信頼性のレベルが継続的であると判定し、
前記システムを回避する手段は、前記タイマの残りの持続時間の間、前記システムを回避し、
前記１または複数の再選択手順を実行する手段は、しきい回数の再選択手順を実行する、Ｃ２４に記載の装置。
［Ｃ２９］
サービス停止手順を開始する手段をさらに備え、
前記判定する手段は、前記システムにアクセスすることなく、多くの再選択手順を実行することに少なくとも部分的に基づいて、前記逆方向リンク・チャネルの低信頼性のレベルが継続的であると判定する、Ｃ２３に記載の装置。
［Ｃ３０］
前記サービス停止手順を開始する手段は、前記システムに関連する登録状態が最新であると判定し、前記登録状態に基づいて、回避されたシステムのサービス停止を開始する、Ｃ２９に記載の装置。
［Ｃ３１］
システムを回避するためのコンピュータ・プログラム製品であって、
少なくとも１つのコンピュータに対して、順方向リンク・チャネルでシステムから１または複数の信号を受信させるためのコードと、
前記少なくとも１つのコンピュータに対して、前記システムの逆方向リンク・チャネルに関連する低信頼性のレベルを認識させるためのコードと、
前記少なくとも１つのコンピュータに対して、タイマおよび前記低信頼性のレベルに少なくとも部分的に基づいて、１または複数の再選択手順の間、前記システムを回避させる
ためのコードと、
を備えるコンピュータ読取可能な媒体を備える、コンピュータ・プログラム製品。
［Ｃ３２］
前記コンピュータ読取可能な媒体はさらに、
前記少なくとも１つのコンピュータに対して、前記タイマの終了前に、前記１または複数の再選択手順を実行させるためのコードと、
前記少なくとも１つのコンピュータに対して、前記低信頼性のレベルが一時的であると認識させるためのコードと、
を備えるＣ３１に記載のコンピュータ・プログラム製品。
［Ｃ３３］
前記コンピュータ読取可能な媒体はさらに、前記少なくとも１つのコンピュータに対して、前記１または複数の再選択手順の一部として前記システムを獲得させるためのコードを備える、Ｃ３２に記載のコンピュータ・プログラム製品。
［Ｃ３４］
前記コンピュータ読取可能な媒体はさらに、
前記少なくとも１つのコンピュータに対して、アクセス試行が、前記システムにおいて直ちにトリガされると判定することに少なくとも部分的に基づいて、前記システムにアクセスさせるためのコードと、
前記少なくとも１つのコンピュータに対して、前記システムにアクセスすると、前記低信頼性のレベルが一時的であると認識することに少なくとも部分的に基づいて、前記タイマをキャンセルさせるためのコードと、
を備えるＣ３３に記載のコンピュータ・プログラム製品。
［Ｃ３５］
前記コンピュータ読取可能な媒体はさらに、前記少なくとも１つのコンピュータに対して、前記低信頼性が継続的であると認識させるためのコードに少なくとも部分的に基づいて、前記少なくとも１つのコンピュータに対して、前記タイマの残りの持続時間の間、前記システムを回避させるためのコードを備え、
前記１または複数の再選択手順は、しきい回数の再選択手順を含む、Ｃ３２に記載のコンピュータ・プログラム製品。
［Ｃ３６］
前記コンピュータ読取可能な媒体はさらに、前記少なくとも１つのコンピュータに対して、前記低信頼性が継続的であると認識させるためのコードに少なくとも部分的に基づいて、前記少なくとも１つのコンピュータに対して、サービス停止手順を開始させるためのコードを備え、
前記１または複数の再選択手順は、しきい回数の再選択手順を含む、Ｃ３１に記載のコンピュータ・プログラム製品。
［Ｃ３７］
前記コンピュータ読取可能な媒体はさらに、前記少なくとも１つのコンピュータに対して、前記システムに関連する登録状態が最新であると判定させるためのコードを備え、
前記サービス停止手順は、回避されたサービス停止手順である、Ｃ３６に記載のコンピュータ・プログラム製品。
［Ｃ３８］
前記コンピュータ読取可能な媒体はさらに、前記少なくとも１つのコンピュータに対して、前記タイマを再起動させ、前記タイマが終了すると、前記システムへのアクセスを試みさせるためのコードを備える、Ｃ３６に記載のコンピュータ・プログラム製品。
［Ｃ３９］
システム回避のための装置であって、
順方向リンク・チャネルでシステムから通信を受信する基地局検出構成要素と、
前記システムの逆方向リンク・チャネルに関連する低信頼性のレベルを認識する信頼性判定構成要素と、
前記低信頼性のレベルに少なくとも部分的に基づいて、タイマにしたがって前記システムを回避するシステム接続構成要素と、
を備える装置。
［Ｃ４０］
前記タイマの終了前に、回避されたシステムを含む１または複数の再選択手順を実行する再選択構成要素をさらに備え、
前記信頼性判定構成要素は、前記１または複数の再選択手順の一部として前記システムがアクセスされるかを判定することに少なくとも部分的に基づいて、前記信頼性のレベルを判定する、Ｃ３９に記載の装置。
［Ｃ４１］
前記システム接続構成要素は、前記１または複数の再選択手順の一部として前記システムを獲得する、Ｃ４０に記載の装置。
［Ｃ４２］
前記システム接続構成要素は、アクセス試行が、前記システムにおいて直ちにトリガされると判定することに少なくとも部分的に基づいて、前記システムにアクセスする、Ｃ４１に記載の装置。
［Ｃ４３］
前記システムへアクセスすると、前記タイマをキャンセルする回避タイマ構成要素をさらに備え、
前記信頼性判定構成要素は、前記逆方向リンク・チャネルの低信頼性のレベルが一時的であると判定する、Ｃ４２に記載の装置。
［Ｃ４４］
前記信頼性判定構成要素は、前記逆方向リンク・チャネルの低信頼性のレベルが継続的であると判定し、
前記システム接続構成要素は、前記タイマの残りの持続時間の間、前記システムを回避し、
前記再選択構成要素は、しきい回数の再選択手順を実行する、Ｃ４０に記載の装置。
［Ｃ４５］
サービス停止手順を開始するためのサービス停止構成要素をさらに備え、
前記信頼性判定構成要素は、前記システムにアクセスすることなく、多くの再選択手順を実行することに少なくとも部分的に基づいて、前記逆方向リンク・チャネルの低信頼性のレベルが継続的であると判定する、Ｃ３９に記載の装置。
［Ｃ４６］
前記サービス停止構成要素は、前記システムに関連する登録状態が最新であると判定し、前記登録状態に基づいて、回避されたシステムのサービス停止を開始する、Ｃ４５に記載の装置。
【図１】
0005591933.tif 000002
【図２】
0005591933.tif 000003
【図３】
0005591933.tif 000004
【図４】
0005591933.tif 000005
【図５】
0005591933.tif 000006
【図６】
0005591933.tif 000007
【図７】
0005591933.tif 000008
【図８】
0005591933.tif 000009
【図９】
0005591933.tif 000010
【図１０】
0005591933.tif 000011
【図１１】
0005591933.tif 000012
【図１２】
0005591933.tif 000013
【図１３】
0005591933.tif 000014